(57)【特許請求の範囲】
【請求項１】
弾性接触片を備えた複数の端子をコネクタハウジングの端子収容室に収容し、該端子収容室の開放部から該弾性接触片を露出したハーネス用のコネクタと、該弾性接触片に対応する短冊状の端子接続部を表面の所定位置に形成配置するプリント基板との接続におけるコネクタの接続構造において、
前記コネクタに対して少なくともＬ形面を有するコネクタ保持部材を設け、
該コネクタ保持部材の該Ｌ形面の一方の面にコネクタ挿入口を形成し、
該コネクタ挿入口に該コネクタを挿入して前記弾性接触片が露出する面の逆側の面と、該Ｌ形面の他方の面とが、対向するように配置し、
該逆側の面と、該他方の面との間に、該コネクタの挿入方向と、該他方の面とにそれぞれ直交する方向に圧縮可能な弾性部材を介在し、
前記プリント基板を該コネクタに対して該直交する方向に押圧して、該弾性接触片と、前記端子接続部とを接続し、
該弾性部材の弾性力により、該コネクタを押す力が生じ、該プリント基板が該直交する方向に押圧されることを特徴とするコネクタの接続構造。
【請求項２】
請求項１に記載のコネクタの接続構造において、
前記弾性部材として、一端が前記Ｌ形面の接合部近傍に取り付けられるとともに、他端が前記コネクタの挿入方向先端側に位置して中間部分で前記コネクタの逆側の面と接触する板状のコネクタ接触バネを設けることを特徴とするコネクタの接続構造。
【請求項３】
請求項１に記載のコネクタの接続構造において、
前記弾性部材として、一端が前記逆側の面に取り付けられるとともに他端側が前記他方の面に接触する板状のコネクタ保持用アームを設けることを特徴とするコネクタの接続構造。
【請求項４】
請求項１ないし請求項３のいずれかに記載のコネクタの接続構造において、
前記コネクタの挿入方向に沿う両側面には、前記コネクタ挿入口の縁部近傍に当接して前記挿入方向に対するストッパを設け、
前記弾性接触片が露出する面と前記逆側の面には、相対向する一対の可撓係止片を形成することを特徴とするコネクタの接続構造。
【請求項５】
請求項１ないし請求項４のいずれかに記載のコネクタの接続構造において、
前記プリント基板はドアトリムパネルに設けられるスイッチユニットやコンビネーションメータなどの補機に備えられるとともに、該補機に設けられた取付固定用のロック部材が取り付けにかかる相手側に係合し始めるのとほぼ同時に前記コネクタに接触する位置に配設されることを特徴とするコネクタの接続構造。
【請求項６】
請求項１ないし請求項５のいずれかに記載のコネクタの接続構造において、
前記コネクタ保持部材は、前記補機が取り付けられるドアトリムパネルやインストゥルメントパネルなどに一体に形成されることを特徴とするコネクタの接続構造。
【発明の詳細な説明】
【０００１】
【発明の属する技術分野】
本発明は、コネクタハウジングの端子収容室に端子を嵌装した状態で、端子の弾性接触片が端子収容室から露出するコネクタの接続構造に関し、特に、端子の弾性接触片と、該弾性接触片に対応する短冊状の端子接続部を表面の所定位置に形成配置するプリント基板との接続構造に関する。
【０００２】
【従来の技術】
【０００３】
従来、端子の弾性接触片が端子収容室から露出するように嵌装したコネクタをプリント基板の縁部に挟み込んで、または、プリント基板が取り付けられた相手側のコネクタの収容空間に差込嵌合して、電気的な接続を行うことが広く行われている。この接続は、例えば、自動車のメータやドアトリムパネルに設けられたスイッチユニット等に取り付けられたプリント基板において主に成されている。
【０００４】
前者としては、特開平８−３７０６５号公報に開示されたコネクタの接続構造が知られている。図１３はコネクタの分解斜視図、図１４ないし図１６は相手側とのコネクタの接続過程を示す断面図である。
図１３に示される如く、コネクタ１は後面が開放された箱形のアウターハウジング２内に、弾性接触片３ａを有する複数の端子金具３を嵌装した偏平箱形の二つのインナーハウジング４、４を備えている。
【０００５】
アウターハウジング２の内側面と、インナーハウジング４、４のそれぞれの外側面には、一対の回転軸５、５と筒状の軸受け６、６とが形成されている。該軸受け６には、その周壁における挿入方向側に切り欠き６ａが形成されている。
【０００６】
インナーハウジング４、４をアウターハウジング２に挿入してゆくと、切り欠き６ａが回転軸５に押しつけられて嵌合するとともに、中央で折り返して形成さればね部材７、７が、アウターハウジング２の内側面に相対向して設けられた一対のアウター側保持部材８、８、及び、インナーハウジング４、４の外側面に形成されたばね受け９、９に引っ掛けられて、インナーハウジング４、４がアウターハウジング２内で回転可能に保持される（図１４参照）。
【０００７】
ばね部材７、７は、各端子３の弾性接触片３ａが互いに離れる方向にインナーハウジング４、４を付勢しており、相手側のプリント基板１０にコネクタ１を接続し始めたときには、そのプリント基板１０に形成された短冊状の複数の端子接続部１０ａに、各端子３の弾性接触片３ａが軽く接する（図１５参照）。そして、図１６に示される如く、コネクタ１を更に奥まで押し込むと、ばね部材７、７の付勢力に抗するように、プリント基板１０を囲むフード１１の内面の上下に形成された導入カム１２、１２が、インナーハウジング４、４をプリント基板１０側に回転させる。これに伴い、各端子接続部１０ａ（図１３参照）に弾性接触片３ａが滑りながら押しつけられて、コネクタ１の接続が完了する。
【０００８】
一方、後者としては、特公平６−６５０９２号公報に開示されたコネクタの接続構造が知られている。図１７はコネクタの一部を破断した分解斜視図、図１８は図１７の縦断面図、図１９はコネクタと相手側のコネクタの分解斜視図を示す。
図１７ないし図１９において、１３はコネクタで、１４はコネクタ１３の端子の露出部を開閉する保護カバー、１５は上述のメータやスイッチユニットなどに使用される相手側のコネクタ、１６はコネクタ１３内の各端子に接続されるワイヤーハーネスである。
【０００９】
コネクタ１３のコネクタハウジング１７内には、複数の端子収容室１８が並設され、端子３（上述の端子と同様の構成であるので符号を同じにする）が嵌装されると、その弾性接触片３ａが端子収容室１８の開放部１８ａから露出するようになっている。また、端子収容室１８に隣接して検知空間１９が底板２０との間に形成されるとともに、端子収容室１８の底壁１８ｂにはこの検知空間１９と連通する切り欠き部１８ｃが形成される。この切り欠き部１８ｃには端子収容室１８を形成する周壁部１８ｄから端子用可撓係止片２１が連成されている。２１ａは先端係止部である。
【００１０】
コネクタハウジング１７の両側壁２２（一方のみ図示）には、保護カバー１４が摺動するための溝２２ａが形成され、この溝２２ａの入口近傍に係止突起２２ｂが設けられている。２２ｃはスリットである。また、コネクタハウジング１７には、保護カバー１４が開閉する面と略々直角に交叉して検知空間１９と連通する連通路２３が形成され、この連通路２３の入口近傍には係止突起２３ａが突設されている。
【００１１】
保護カバー１４は、カバー本体１４ａと検知部材１４ｂとを連結部１４ｃで結合して形成され、カバー本体１４ａの両端部は溝２２ａ内に、検知部材１４ｂは検知空間１９内に、連結部１４ｃは連通路２３内にそれぞれ挿入されてコネクタハウジング１７に取り付けられる構成となっている。
【００１２】
相手側コネクタ１５には、コネクタ１３を嵌合する収容空間２４が形成され、この収容空間２４に沿って端子３の弾性接触片３ａと圧接するプリント基板１０（上述のプリント基板と同様の構成であるので符号を同じにする）が貼付されている。また、収容空間２４の底部には、保護カバー１４の検知部材１４ｂの部分に当接する駆動突子２４ａが嵌合方向に立設している。
【００１３】
コネクタ１３の嵌合端を相手側コネクタ１５の収容空間２４に挿入すると、駆動突子２４ａは検知部材１４ｂを押圧し、連結部１４ｃが連通路２３内を進行する。これに伴って、保護カバー１４が開放方向に移動し、弾性接触片３ａの露出面を開放する。この開放とともにコネクタ１３は相手側コネクタ１５の収容空間２４に嵌入し、プリント基板１０上に形成された短冊状の端子接続部１０ａに弾性接触片３ａが滑りながら圧接して電気的な接続がされる。
【００１４】
【発明が解決しようとする課題】
上記従来技術にあっては、プリント基板１０の端子接続部１０ａに端子３の弾性接触片３ａが滑りながら圧接して電気的な接続がなされるため、ばね部材７、７を用いたとしても、コネクタの接続にかかる挿入力が極端に低下するのではなく、依然として、作業性が悪いという問題点があった。また、コネクタの挿入の仕方によっては、弾性接触片３ａや端子接続部１０ａの変形及び破損を引き起こしてしまうといった問題点があった。
【００１５】
本発明は、上述した問題点を解消するため、プリント基板との接続を小さい力で成し得て作業性の向上を図るとともに、弾性接触片や端子接続部の変形及び破損などを防止するコネクタの接続構造を提供することを課題とする。
【００１６】
【課題を解決するための手段】
上記課題を解決するためなされた請求項１記載の本発明のコネクタの接続構造は、弾性接触片を備えた複数の端子をコネクタハウジングの端子収容室に収容し、該端子収容室の開放部から該弾性接触片を露出したハーネス用のコネクタと、該弾性接触片に対応する短冊状の端子接続部を表面の所定位置に形成配置するプリント基板との接続におけるコネクタの接続構造において、前記コネクタに対して少なくともＬ形面を有するコネクタ保持部材を設け、該コネクタ保持部材の該Ｌ形面の一方の面にコネクタ挿入口を形成し、該コネクタ挿入口に該コネクタを挿入して前記弾性接触片が露出する面の逆側の面と、該Ｌ形面の他方の面とが、対向するように配置し、該逆側の面と、該他方の面との間に、該コネクタの挿入方向と、該他方の面とにそれぞれ直交する方向に圧縮可能な弾性部材を介在し、前記プリント基板を該コネクタに対して該直交する方向に押圧して、該弾性接触片と、前記端子接続部とを接続し、該弾性部材の弾性力により、該コネクタを押す力が生じ、該プリント基板が該直交する方向に押圧されることを特徴とする。
【００１７】
上記構成において、弾性接触片を備えた複数の端子をコネクタハウジングの端子収容室に収容したコネクタを、少なくともＬ形面を有するコネクタ保持部材のコネクタ挿入口を形成した一方の面に挿入し、コネクタの弾性接触片が露出する面の逆側の面とコネクタ保持部材の他方の面とが対向するように配置する。また、コネクタと他方の面との間にコネクタの挿入方向と他方の面とにそれぞれ直交する方向に圧縮可能な弾性部材を介在させる。そして、プリント基板をコネクタに対して前記直交する方向に押圧して各端子の弾性接触片とプリント基板の端子接続部とを接続する。これにより、各端子の弾性接触片とプリント基板の端子接続部とが滑りあって電気的に接続されるのではなく、互いに押しつけて接続するので、従来のコネクタ接続の挿入力の問題点や、弾性接触片及び端子接続部の変形、破損の問題点を解消することができるとともに、作業性を格段に向上させることができる。
【００１８】
請求項２記載の本発明のコネクタの接続構造は、請求項１に記載のコネクタの接続構造において、前記弾性部材として、一端が前記Ｌ形面の接合部近傍に取り付けられるとともに、他端が前記コネクタの挿入方向先端側に位置して中間部分で前記コネクタの逆側の面と接触する板状のコネクタ接触バネを設けることを特徴としている。
【００１９】
上記構成において、弾性部材として、一端がコネクタ保持部材のＬ形面の接合部近傍に取り付けられるとともに、他端がコネクタの挿入方向先端側に位置して中間部分でコネクタの逆側の面と接触する板状のコネクタ接触バネを設けることにより、そのコネクタ接触バネの弾性力によって、コネクタを押し上げようとする力が生じ、各端子の弾性接触片と対応するプリント基板の端子接続部とを安定した状態で電気的に接続することができる。
【００２０】
請求項３記載の本発明のコネクタの接続構造は、請求項１に記載のコネクタの接続構造において、前記弾性部材として、一端が前記逆側の面に取り付けられるとともに他端側が前記他方の面に接触する板状のコネクタ保持用アームを設けることを特徴としている。
【００２１】
上記構成において、弾性部材として、一端がコネクタの弾性接触片が露出する逆側の面に取り付けられるとともに、他端側がコネクタ保持部材の他方の面に接触する板状のコネクタ保持用アームを設けることにより、そのコネクタ保持用アームの弾性力によって、コネクタを押し戻そうとする力が生じ、各端子の弾性接触片と対応するプリント基板の端子接続部とを安定した状態で電気的に接続することができる。
【００２２】
請求項４記載の本発明のコネクタの接続構造は、請求項１ないし請求項３のいずれかに記載のコネクタの接続構造において、前記コネクタの挿入方向に沿う両側面には、前記コネクタ挿入口の縁部近傍に当接して前記挿入方向に対するストッパを設け、前記弾性接触片が露出する面と前記逆側の面には、相対向する一対の可撓係止片を形成することを特徴としている。
【００２３】
上記構成において、コネクタの挿入方向に沿う両側面には、コネクタ保持部材のコネクタ挿入口の縁部近傍に当接して前記挿入方向に対するストッパを設け、コネクタの弾性接触片が露出する面と、その逆側の面のそれぞれの面には、相対向する一対の可撓係止片を形成するので、コネクタはコネクタ保持部材に対する挿抜方向の動きが規制され、例えばドアトリムパネル内やインストゥルメントパネルにしっかりと装着することができるとともに、各端子の弾性接触片と対応するプリント基板の端子接続部との接続を安定した状態で維持することができる。
【００２４】
請求項５記載の本発明のコネクタの接続構造は、請求項１ないし請求項４のいずれかに記載のコネクタの接続構造において、前記プリント基板はドアトリムパネルに設けられるスイッチユニットやコンビネーションメータなどの補機に備えられるとともに、該補機に設けられた取付固定用のロック部材が取り付けにかかる相手側に係合し始めるのとほぼ同時に前記コネクタに接触する位置に配設されることを特徴としている。
【００２５】
上記構成において、プリント基板はドアトリムパネルに設けられるスイッチユニットやコンビネーションメータなどの補機に備えられるとともに、該補機に設けられた取付固定用のロック部材が、補機の取り付けにかかる相手側に係合し始めるのとほぼ同時にコネクタに接触する位置に配設されるので、補機の取付固定にかかる小さな力によって、各端子の弾性接触片と対応するプリント基板の端子接続部との接続がなされ、従来のコネクタ接続の挿入力の問題点や、弾性接触片及び端子接続部の変形、破損の問題点を解消することができるとともに、作業性を格段に向上させることができる。
【００２６】
請求項６記載の本発明のコネクタの接続構造は、請求項１ないし請求項５のいずれかに記載のコネクタの接続構造において、前記コネクタ保持部材は、前記補機が取り付けられるドアトリムパネルやインストゥルメントパネルなどに一体に形成されることを特徴としている。
【００２７】
上記構成において、コネクタ保持部材は、補機が取り付けられるドアトリムパネルやインストゥルメントパネルなどに一体に形成されるので、作業性に影響を与えることがなく、かつ、部品点数の増大を抑えることができる。
【００２８】
【発明の実施の形態】
以下、図面に基づいて本発明の一実施の形態を説明する。図１は、本発明にかかるコネクタの接続構造の一実施の形態を示す斜視図であり、図２は図１のコネクタの断面図、図３は図１のコネクタ保持部材の側面図を示す。尚、従来例と同一の構成部材には同一の符号を付して詳細な説明を省略する。
【００２９】
図１において、Ａはコネクタで、ＢはコネクタＡが挿入されるコネクタ保持部材で、Ｃはドアトリムパネルに設けられるスイッチユニットやコンビネーションメータなどの補機である。
【００３０】
図２を共に参照すると、コネクタＡの合成樹脂製のコネクタハウジング３１内には、複数の端子収容室３２が並設されており、端子収容室３２には、開放部３２ａが形成されている。各端子収容室３２に、電線３３が接続されるとともに弾性接触片３ａを有する端子３を嵌装すると、その弾性接触片３ａが開放部３２ａから露出するようになっている。
【００３１】
端子収容室３２と底板３４との間には、空間３５が形成されるとともに、端子収容室３２の底壁３２ｂには、この空間３５と連通する切り欠き部３２ｃが形成される。この切り欠き部３２ｃ内には、端子収容室３２を形成する周壁部３２ｄから端子用可撓係止片３６が連成されている。図中、３２ｅは端子３のストッパとなる前壁であり、３６ａは端子用可撓係止片３６の先端に設けられた端子３に対する係止部である。
【００３２】
また、コネクタハウジング３１には、両側面後方にストッパとしての相対向する一対の係止片３７、３７を設けるとともに、上下面中間に先端部が後方に向けてのびる相対向する一対の可撓係止片３８、３８を形成する。係止片３７は、僅かに可撓弾性を有するとともに、若干湾曲して形成されており、可撓係止片３８の先端部分には、コネクタ保持部材Ｂに対する係止部３８ａが形成されている。
【００３３】
コネクタ保持部材Ｂは、図１および図３に示される如く、合成樹脂材からなるＬ形面を有する枠体、若しくは、箱体に形成されており、Ｌ形面の垂直方向（図３に対して）の一方の面には、矩形のコネクタ挿入口３９が設けられている。また、水平方向（図３に対して）の他方の面には、弾性部材としての金属板状のコネクタ接触バネ４０が設けられている。
【００３４】
コネクタ接触バネ４０は、へ字状に折曲形成されており、両端部分は共に他方の面と平行に折り曲げられている。そして、その一端４０ａは、Ｌ形面の接合部近傍に取り付けられるとともに、他端４０ｂは、他方の面から若干間隔を有して浮いた状態になっており、コネクタ接触バネ４０の屈曲部分４０ｃに上方から力が加わると、撓んで該他端４０ｂが一方の面から遠ざかるようになっている。尚、ここでは、金属製の板バネについての形態を適用しているが、合成樹脂により成形してもよく、更には、板バネの代わりに圧縮コイルスプリングを他方の面に設けることも可能である。
【００３５】
図１に示される補機Ｃは、ドアトリムパネル（図示しない）に設けられるスイッチユニットを示し、そのケース４１の下部には、補機Ｃの電気的接続を行うプリント基板１０が取り付けられている。プリント基板１０には、その表面にコネクタＡの弾性接触片３ａの数に対応する複数の短冊状の端子接続部１０ａ（図１３参照）が形成されている。また、ケース４１には、ドアトリムパネル固定用のロック部材４２が設けられ、プリント基板１０の両側にコネクタＡに対する位置あわせ用のテーパ部４３が形成されている。ケース４１の上部には、ドアミラーやパワーウィンドウの駆動モータに対するスイッチ類４４が装備されている。
【００３６】
上記構成において、コネクタＡの各弾性接触片３ａと補機Ｃの端子接続部１０ａとの電気的接続について、図４ないし図７を参照して説明する。
まず図４において、各端子３の弾性接触片３ａを上にして、コネクタＡをコネクタ保持部材Ｂに図１の矢線Ｐで示される方向に挿入する。コネクタ挿入口３９に挿入されたコネクタＡは、一対の係止片３７、３７（図１参照）がコネクタ保持部材Ｂの一方の面に当接するとともに、一対の可撓係止片３８、３８の係止部３８ａ、３８ａがコネクタ挿入口３９に係合し、更には、底板３４がコネクタ接触バネ４０の屈曲部分４０ｃに乗せられた状態になる。
【００３７】
この状態において、コネクタＡは、係止片３７、３７及び可撓係止片３８、３８によって、コネクタ保持部材Ｂに対するコネクタＡの挿抜方向の動きが規制され、図５に示される如く、ドアトリムパネル内にしっかりと装着される。
【００３８】
次に、補機Ｃを図１の矢線Ｑで示される方向に押し込んでドアトリムパネルに取り付けようとすると、図６に示される如く、ロック部材４２がドアトリムパネルの縁部に当接するとともに、プリント基板１０が僅かな間隔をあけて各弾性接触片３ａに対向する。尚、プリント基板１０が弾性接触片３ａに対して軽く接していてもよい。また、この時コネクタＡは補機Ｃのテーパ部４３（図１参照）によって図１の矢線Ｐで示される方向に対して左右に動かされ、プリント基板１０に対する正確な位置あわせが成される。
【００３９】
続いて、補機Ｃを更に押し込むと、ロック部材４２がドアトリムパネルの縁部に押しつけられ、内側に撓んで補機Ｃがドアトリムパネルに固定される（図７参照）。この時、補機Ｃの取付固定にかかる力によって、コネクタＡが押しつけられ、コネクタ接触バネ４０とともにロック部材４２の係合量分だけ下方に移動する。コネクタ接触バネ４０はその弾性力によって、コネクタＡを押し上げようとする力が生じ、各弾性接触片３ａと対応するプリント基板１０の端子接続部１０ａとが安定した状態で電気的に接続される。
【００４０】
図８ないし図１２を参照して、本発明のコネクタの接続構造の他の一実施の形態を説明する。図８はその斜視図、図９は図８のコネクタの断面図を示し、上述したコネクタ保持部材Ｂにコネクタ接触バネ４０を設けず、コネクタＡに対して弾性部材としてのコネクタ保持用アームを設けてある。
【００４１】
図８において、Ａ′はコネクタで、Ｂ′はコネクタＡ′が挿入されるコネクタ保持部材で、Ｃは上述と同様のドアトリムパネルに設けられるスイッチユニットやコンビネーションメータなどの補機である。
【００４２】
図９を共に参照すると、コネクタＡ′は、上述のコネクタＡに対してコネクタハウジング３１の底板３４に相対向する一対のコネクタ保持用アーム４５、４５（図中においては一方のみを図示しており、以下同様）を備えている。
【００４３】
コネクタ保持用アーム４５は、金属製の板バネであって、一端が底板３４に一体成形されており、他端がその先端部をコネクタＡ′の後方に向け、全体的にノ字状に湾曲した状態に形成されている。尚、図示していないが、一対のコネクタ保持用アーム４５、４５は、可撓係止片３８の両側に配置されている。また、コネクタ保持用アーム４５を合成樹脂材で成形することも可能である。
【００４４】
コネクタ保持部材Ｂ′は、図８に示される如く、合成樹脂材からなるＬ形面を有する枠体、若しくは、箱体に形成されており、Ｌ形面の垂直方向の一方の面（上述のコネクタ保持部材Ｂと同様）には、コネクタ保持用アーム４５、４５が通過できるように、逆凹状のコネクタ挿入口４６が設けられている。尚、他方の面はフラットに形成されている。
【００４５】
上記構成において、コネクタＡ′の各弾性接触片３ａと補機Ｃの端子接続部１０ａとの電気的接続について、図１０ないし図１２を参照して説明する。
まず図１０において、各端子３の弾性接触片３ａを上にして、コネクタＡ′をコネクタ保持部材Ｂ′に図８の矢線Ｒで示される方向に挿入する。コネクタ挿入口４６に挿入されたコネクタＡ′は、一対の係止片３７、３７（図８参照）がコネクタ保持部材Ｂ′の一方の面に当接するとともに、一対の可撓係止片３８、３８の係止部３８ａ、３８ａがコネクタ挿入口４６に係合し、更には、一対のコネクタ保持用アーム４５、４５がコネクタＡ′を他方の面に対して平行状態を保つように保持している。
【００４６】
この状態において、コネクタＡ′は、係止片３７、３７及び可撓係止片３８、３８によって、コネクタ保持部材Ｂ′に対するコネクタＡ′の挿抜方向の動きが規制され、ドアトリムパネル内にしっかりと装着される（図５参照）。
【００４７】
次に、補機Ｃを図８の矢線Ｓで示される方向に押し込んでドアトリムパネルに取り付けようとすると、図１１に示される如く、ロック部材４２がドアトリムパネルの縁部に当接するとともに、プリント基板１０が僅かな間隔をあけて各弾性接触片３ａに対向する。尚、プリント基板１０が弾性接触片３ａに対して軽く接していてもよい。また、この時コネクタＡ′は補機Ｃのテーパ部４３（図８参照）によって図８の矢線Ｒで示される方向に対して左右に動かされ、プリント基板１０に対する正確な位置あわせが成される。
【００４８】
続いて、補機Ｃを更に押し込むと、ロック部材４２がドアトリムパネルの縁部に押しつけられ、内側に撓んで補機Ｃがドアトリムパネルに固定される（図１２参照）。この時、補機Ｃの取付固定にかかる力によって、コネクタＡ′が押しつけられ、コネクタ保持用アーム４５、４５とともにロック部材４２の係合量分だけ下方に移動する。コネクタ保持用アーム４５、４５はその弾性力によって、コネクタＡ′を押し戻そうとする力が生じ、各弾性接触片３ａと対応するプリント基板１０の端子接続部１０ａとが安定した状態で電気的に接続される。
【００４９】
以上のように、本発明のコネクタの接続構造は、端子３の弾性接触片３ａとプリント基板１０の端子接続部１０ａとが滑りあって電気的に接続されるのではなく、補機Ｃの取付固定にかかる小さな力によって、互いに押しつけて接続するので、従来のコネクタ接続の挿入力の問題点や、弾性接触片及び端子接続部の変形、破損の問題点を解消することができ、これに伴って、作業性の向上が図られる。
【００５０】
【発明の効果】
以上説明したように、請求項１に記載された本発明によれば、弾性接触片を備えた複数の端子をコネクタハウジングの端子収容室に収容したコネクタを、少なくともＬ形面を有するコネクタ保持部材のコネクタ挿入口を形成した一方の面に挿入し、コネクタの弾性接触片が露出する面の逆側の面とコネクタ保持部材の他方の面とが対向するように配置する。また、コネクタと他方の面との間にコネクタの挿入方向と他方の面とにそれぞれ直交する方向に圧縮可能な弾性部材を介在させる。そして、プリント基板をコネクタに対して前記直交する方向に押圧して各端子の弾性接触片とプリント基板の端子接続部とを接続する。これにより、各端子の弾性接触片とプリント基板の端子接続部とが滑りあって電気的に接続されるのではなく、互いに押しつけて接続するので、従来のコネクタ接続の挿入力の問題点や、弾性接触片及び端子接続部の変形、破損の問題点を解消することができるとともに、作業性を格段に向上させることができるという効果を奏する。
【００５１】
請求項２に記載された本発明によれば、弾性部材として、一端がコネクタ保持部材のＬ形面の接合部近傍に取り付けられるとともに、他端がコネクタの挿入方向先端側に位置して中間部分でコネクタの逆側の面と接触する板状のコネクタ接触バネを設けることにより、そのコネクタ接触バネの弾性力によって、コネクタを押し上げようとする力が生じ、各端子の弾性接触片と対応するプリント基板の端子接続部とを安定した状態で電気的に接続することができるという効果を奏する。
【００５２】
請求項３に記載された本発明によれば、弾性部材として、一端がコネクタの弾性接触片が露出する逆側の面に取り付けられるとともに、他端側がコネクタ保持部材の他方の面に接触する板状のコネクタ保持用アームを設けることにより、そのコネクタ保持用アームの弾性力によって、コネクタを押し戻そうとする力が生じ、各端子の弾性接触片と対応するプリント基板の端子接続部とを安定した状態で電気的に接続することができるという効果を奏する。
【００５３】
請求項４に記載された本発明によれば、コネクタの挿入方向に沿う両側面には、コネクタ保持部材のコネクタ挿入口の縁部近傍に当接して前記挿入方向に対するストッパを設け、コネクタの弾性接触片が露出する面と、その逆側の面とのそれぞれの面には、相対向する一対の可撓係止片を形成するので、コネクタはコネクタ保持部材に対する挿抜方向の動きが規制され、例えばドアトリムパネル内やインストゥルメントパネルにしっかりと装着することができるとともに、各端子の弾性接触片と対応するプリント基板の端子接続部との接続を、安定した状態で維持することができるという効果を奏する。
【００５４】
請求項５に記載された本発明によれば、プリント基板はドアトリムパネルに設けられるスイッチユニットやコンビネーションメータなどの補機に備えられるとともに、該補機に設けられた取付固定用のロック部材が、補機の取り付けにかかる相手側に係合し始めるのとほぼ同時にコネクタに接触する位置に配設されるので、補機の取付固定にかかる小さな力によって、各端子の弾性接触片と対応するプリント基板の端子接続部との接続がなされ、従来のコネクタ接続の挿入力の問題点や、弾性接触片及び端子接続部の変形、破損の問題点を解消することができるとともに、作業性を格段に向上させることができるという効果を奏する。
【００５５】
請求項６に記載された本発明によれば、コネクタ保持部材は、補機が取り付けられるドアトリムパネルやインストゥルメントパネルなどに一体に形成されるので、作業性に影響を与えることがなく、かつ、部品点数の増大を抑えることができるという効果を奏する。
【図面の簡単な説明】
【図１】本発明によるコネクタの接続構造の一実施の形態を示す斜視図である。
【図２】図１のコネクタの断面図である。
【図３】図１のコネクタ保持部材の側面図である。
【図４】コネクタをコネクタ保持部材に挿入した状態を示す断面図である。
【図５】コネクタ保持部材に挿入されたコネクタに対して補機を取り付けようとした状態を示す斜視図である。
【図６】図１の補機が取り付けにかかる相手側に係合する直前の各端子の弾性接触片とプリント基板の端子接続部との状態を説明する断面図である。
【図７】図１の補機が取り付けにかかる相手側に係合して各端子の弾性接触片とプリント基板の端子接続部とが接触するとともに、コネクタがコネクタ接触バネの弾性力によってプリント基板に向けて押し上げられている状態を示す断面図である。
【図８】本発明によるコネクタの接続構造の他の一実施の形態を示す斜視図である。
【図９】図８のコネクタの断面図である。
【図１０】コネクタをコネクタ保持部材に挿入した状態を示す断面図である。
【図１１】図８の補機が取り付けにかかる相手側に係合する直前の各端子の弾性接触片とプリント基板の端子接続部との状態を説明する断面図である。
【図１２】図８の補機が取り付けにかかる相手側に係合して各端子の弾性接触片とプリント基板の端子接続部とが接触するとともに、コネクタがコネクタ保持用アームの弾性力によってプリント基板に向けて押し戻されている状態を示す断面図である。
【図１３】従来例のコネクタの接続構造を示す斜視図である。
【図１４】図１３のコネクタを相手側のコネクタに接続する直前の状態を示す断面図である。
【図１５】図１３のコネクタを相手側のコネクタに接続して端子の弾性接触片がプリント基板の端子接続部に接触した状態を示す断面図である。
【図１６】図１３のコネクタを相手側のコネクタに接続完了させた状態を示す断面図である。
【図１７】従来例のコネクタの他の接続構造を示す斜視図である。
【図１８】図１７のコネクタの断面図である。
【図１９】図１７のコネクタを相手側のコネクタに接続する状態を示す斜視図である。
【符号の説明】
Ａ、Ａ′      コネクタ
Ｂ、Ｂ′      コネクタ保持部材
Ｃ            補機
３            端子
３ａ          弾性接触片
１０          プリント基板
１０ａ        端子接続部
３１          コネクタハウジング
３２          端子収容室
３２ａ        開放部
３２ｂ        底壁
３２ｃ        切り欠き部
３４          底板
３６          端子用可撓係止片
３７          係止片（ストッパ）
３８          可撓係止片
３８ａ        係止部
３９、４６    コネクタ挿入口
４０          コネクタ接触バネ
４０ｃ        屈曲部
４１          ケース
４２          ロック部材
４３          テーパ部
４４          スイッチ類
４５          コネクタ保持用アーム
【図１】
0003591688.tif 000002
【図２】
0003591688.tif 000003
【図３】
0003591688.tif 000004
【図４】
0003591688.tif 000005
【図５】
0003591688.tif 000006
【図６】
0003591688.tif 000007
【図７】
0003591688.tif 000008
【図８】
0003591688.tif 000009
【図９】
0003591688.tif 000010
【図１０】
0003591688.tif 000011
【図１１】
0003591688.tif 000012
【図１２】
0003591688.tif 000013
【図１３】
0003591688.tif 000014
【図１４】
0003591688.tif 000015
【図１５】
0003591688.tif 000016
【図１６】
0003591688.tif 000017
【図１７】
0003591688.tif 000018
【図１８】
0003591688.tif 000019
【図１９】
0003591688.tif 000020